(57)【要約】【課題】物品が放置されていることを通知する。【解決手段】物品または物品の収納物に取り付けられたビーコン装置は、物品または物品の収納物の移動を検知する移動検知部と、移動検知部が物品または物品の収納物の移動を所定時間検知しないときには物品に対応する識別情報をビーコン信号として送信するビーコン送信部とを備える。端末装置は、識別情報に関連付けて通知情報を記憶する通知情報データベースと、ビーコン信号を受信するビーコン受信部と、ビーコン信号に含まれる識別情報に関連付けて通知情報データベースに記憶されている通知情報を通知する通知部とを備える。【選択図】図２
2016069180.tif 000002
【特許請求の範囲】
【請求項１】
物品または物品の収納物に取り付けられてビーコン信号を送信するビーコン装置と、
前記ビーコン装置から送信された前記ビーコン信号を受信する端末装置と
を具備する物品の放置通知システムであって、
前記ビーコン装置は、
前記物品または物品の収納物の移動を検知する移動検知部と、
前記移動検知部が前記物品または物品の収納物の移動を所定時間検知しないときには前記物品に対応する識別情報を前記ビーコン信号として送信するビーコン送信部と
を備え、
前記端末装置は、
前記識別情報に関連付けて通知情報を記憶する通知情報データベースと、
前記ビーコン信号を受信するビーコン受信部と、
前記ビーコン信号に含まれる前記識別情報に関連付けて前記通知情報データベースに記憶されている前記通知情報を通知する通知部と
を備える
物品の放置通知システム。
【請求項２】
前記ビーコン送信部は、前記物品または物品の収納物の移動を検知しない時間の長さに応じた情報をさらに前記ビーコン信号として送信する請求項１記載の物品の放置通知システム。
【請求項３】
前記ビーコン送信部は、前記物品または物品の収納物の移動を検知しない時間の長さをさらに前記ビーコン信号として送信する請求項１記載の物品の放置通知システム。
【請求項４】
前記ビーコン送信部は、前記移動検知部が前記物品または物品の収納物の移動を所定時間検知しなくなるまでは前記識別情報とは異なる他の識別情報を前記ビーコン信号として送信する請求項１記載の物品の放置通知システム。
【請求項５】
物品または物品の収納物に取り付けられてビーコン信号を送信するビーコン装置と、
前記ビーコン装置から送信された前記ビーコン信号を受信する端末装置と、
前記端末装置との間で送受信を行うサーバと
を具備する物品の放置通知システムであって、
前記ビーコン装置は、
前記物品または物品の収納物の移動を検知する移動検知部と、
前記移動検知部が前記物品または物品の収納物の移動を所定時間検知しないときには前記物品に対応する識別情報を前記ビーコン信号として送信するビーコン送信部とを備え、
前記端末装置は、
前記ビーコン信号を受信するビーコン受信部と、
受信した前記ビーコン信号に含まれる前記識別情報を前記サーバに送信して通知情報を受信するサーバ通信部と、
前記サーバから受信した前記通知情報を通知する通知部と
を備え、
前記サーバは、
前記識別情報に関連付けて前記通知情報を記憶する通知情報データベースと、
前記サーバ通信部から送信された前記識別情報を受信して当該識別情報に関連付けて前記通知情報データベースに記憶されている前記通知情報を前記サーバ通信部に送信する端末通信部とを備える
物品の放置通知システム。
【請求項６】
物品または物品の収納物に取り付けられたビーコン装置が、前記物品または物品の収納物の移動を検知する手順と、
前記ビーコン装置が、前記物品または物品の収納物の移動を所定時間検知しないときには前記物品に対応する識別情報を前記ビーコン信号として送信する手順と、
端末装置が、前記ビーコン信号を受信する手順と、
前記端末装置が、前記ビーコン信号に含まれる前記識別情報に関連付けて通知情報データベースに記憶されている通知情報を通知する手順と
を具備する物品の放置通知方法。
【請求項７】
物品または物品の収納物に取り付けられたビーコン装置が、前記物品または物品の収納物の移動を検知する手順と、
前記ビーコン装置が、前記物品または物品の収納物の移動を所定時間検知しないときには前記物品に対応する識別情報を前記ビーコン信号として送信する手順と、
端末装置が、前記ビーコン信号を受信する手順と、
前記端末装置が、受信した前記ビーコン信号に含まれる前記識別情報をサーバに送信する手順と、
前記サーバが、送信された前記識別情報を受信して当該識別情報に関連付けて通知情報データベースに記憶されている通知情報を前記端末装置に送信する手順と、
前記端末装置が、前記サーバから受信した前記通知情報を通知する手順と
具備する物品の放置通知方法。
【発明の詳細な説明】
【技術分野】
【０００１】
本発明は、物品の放置通知システムに関し、特に、物品が放置されていることを通知するシステム、および、その処理方法ならびに当該方法をコンピュータに実行させるプログラムに関する。
【背景技術】
【０００２】
近年、物品または物品の収納物に一意の無線タグ識別を有する対応無線タグを取り付けることにより物品を管理するシステムが利用されるようになっている。例えば、在庫リスト内の無線タグ識別のそれぞれについて、対応無線タグにアンテナを介して固有クエリを送ることによって、無線タグに対応する物品が保管装置に存在するか否かを調べる在庫監視確認システムが提案されている（例えば、特許文献１参照。）。
【先行技術文献】
【特許文献】
【０００３】
【特許文献１】特表２０１３−５０５１７９号公報
【発明の概要】
【発明が解決しようとする課題】
【０００４】
上述の従来技術では、在庫リストに含まれる無線タグ識別のそれぞれについて固有クエリを送ることによって在庫を確認している。しかしながら、物品のそれぞれについて固有クエリを送ることとすると、対象となる物品が増えるにつれて処理に要する時間が増えてしまうという問題がある。特に、放置された物品については在庫リストにおいて適切に管理されていない可能性もあり、そのままでは管理対象から漏れてしまうおそれがある。
【０００５】
本発明はこのような状況に鑑みて生み出されたものであり、物品が放置されていることを通知することを目的とする。
【課題を解決するための手段】
【０００６】
本発明は、上述の問題点を解消するためになされたものであり、その第１の側面は、物品または物品の収納物に取り付けられてビーコン信号を送信するビーコン装置と、上記ビーコン装置から送信された上記ビーコン信号を受信する端末装置とを具備する物品の放置通知システムであって、上記ビーコン装置は、上記物品または物品の収納物の移動を検知する移動検知部と、上記移動検知部が上記物品または物品の収納物の移動を所定時間検知しないときには上記物品に対応する識別情報を上記ビーコン信号として送信するビーコン送信部とを備え、上記端末装置は、上記識別情報に関連付けて通知情報を記憶する通知情報データベースと、上記ビーコン信号を受信するビーコン受信部と、上記ビーコン信号に含まれる上記識別情報に関連付けて上記通知情報データベースに記憶されている上記通知情報を通知する通知部とを備える物品の放置通知システムおよびその物品の放置通知方法である。これにより、物品または物品の収納物の移動を所定時間検知しないときに物品に対応する識別情報をビーコン信号としてビーコン装置から送信し、このビーコン信号を受信した端末装置が識別情報に基づいて通知情報データベースに記憶されている通知情報を通知するという作用をもたらす。
【０００７】
また、本発明の第２の側面は、物品または物品の収納物に取り付けられてビーコン信号を送信するビーコン装置と、上記ビーコン装置から送信された上記ビーコン信号を受信する端末装置と、上記端末装置との間で送受信を行うサーバとを具備する物品の放置通知システムであって、上記ビーコン装置は、上記物品または物品の収納物の移動を検知する移動検知部と、上記移動検知部が上記物品または物品の収納物の移動を所定時間検知しないときには上記物品に対応する識別情報を上記ビーコン信号として送信するビーコン送信部とを備え、上記端末装置は、上記ビーコン信号を受信するビーコン受信部と、受信した上記ビーコン信号に含まれる上記識別情報を上記サーバに送信して通知情報を受信するサーバ通信部と、上記サーバから受信した上記通知情報を通知する通知部とを備え、上記サーバは、上記識別情報に関連付けて上記通知情報を記憶する通知情報データベースと、上記サーバ通信部から送信された上記識別情報を受信して当該識別情報に関連付けて上記通知情報データベースに記憶されている上記通知情報を上記サーバ通信部に送信する端末通信部とを備える物品の放置通知システムおよびその物品の放置通知方法である。これにより、物品または物品の収納物の移動を所定時間検知しないときに物品に対応する識別情報をビーコン信号としてビーコン装置から送信し、このビーコン信号を受信した端末装置が識別情報に基づいてサーバ上の通知情報データベースに記憶されている通知情報を通知するという作用をもたらす。
【発明の効果】
【０００８】
本発明によれば、物品が放置されていることを通知することができるという優れた効果を奏し得る。
【図面の簡単な説明】
【０００９】
【図１】本発明の実施の形態における物品の放置通知システムの外観の一例を示す図である。
【図２】本発明の第１の実施の形態における物品の放置通知システムの構成例を示す図である。
【図３】本発明の第１の実施の形態における通知情報データベース１６０に記憶される項目例を示す図である。
【図４】本発明の第１の実施の形態における物品の放置に関する警告の通知例を示す図である。
【図５】本発明の第１の実施の形態における物品の放置通知システムの処理手順例を示す流れ図である。
【図６】本発明の実施の形態の第１の変形例における警告レベルの一例を示す図である。
【図７】本発明の実施の形態の第１の変形例における物品の放置に関する警告の通知例を示す図である。
【図８】本発明の実施の形態の第２の変形例におけるビーコン信号の一例を示す図である。
【図９】本発明の実施の形態の第２の変形例における物品の放置に関する警告の通知例を示す図である。
【図１０】本発明の実施の形態の第３の変形例におけるビーコン信号識別子の例を示す図である。
【図１１】本発明の第２の実施の形態における物品の放置通知システムの構成例を示す図である。
【図１２】本発明の第２の実施の形態における物品の放置通知システムの処理手順例を示す流れ図である。
【発明を実施するための形態】
【００１０】
以下、本発明を実施するための形態（以下、実施の形態と称する）について説明する。
【００１１】
＜１．第１の実施の形態＞
［物品の放置通知システム］
図１は、本発明の実施の形態における物品の放置通知システムの外観の一例を示す図である。この物品の放置通知システムにおいては、物品２０または物品２０の収納物の各々にはビーコン装置２００が取り付けられる。収納物としては、例えば段ボールやパレットなどが想定される。このビーコン装置２００は、物品２０または物品２０の収納物の移動を所定時間検知しないときには、その物品に対応する識別情報をビーコン信号として所定の期間毎に間欠的に送信する。
【００１２】
ビーコン装置２００から送信されたビーコン信号は、端末装置１００において受信される。端末装置１００は、ユーザ（例えば顧客など）が携帯する端末である。この端末装置１００としては、例えば、携帯端末やタブレット型パーソナルコンピュータなどが挙げられる。この端末装置１００は、ビーコン装置２００からビーコン信号を受信してそれぞれに対応する処理を行う。例えば、ある物品２０について、所定時間放置されている旨が端末装置１００に通知される。
【００１３】
図２は、本発明の第１の実施の形態における物品の放置通知システムの構成例を示す図である。なお、ここでは一例として、１台のビーコン装置２００と１台の端末装置１００を示しているが、それぞれ複数台備えるようにしてもよい。
【００１４】
ビーコン装置２００は、処理部２１０と、メモリ２２０と、ビーコン送信部２３０と、移動検知部２６０と、タイマ２７０とを備えている。端末装置１００は、処理部１１０と、操作部１３０と、通知部１４０と、ビーコン受信部１５０と、通知情報データベース１６０とを備えている。
【００１５】
処理部２１０は、ビーコン装置２００において必要な処理を行うプロセッサである。具体的には、処理部２１０は、移動検知部２６０において所定時間移動が検知されない場合に、メモリ２２０からビーコン信号識別子を読み出してビーコン信号を生成し、ビーコン送信部２３０に送信させる。
【００１６】
メモリ２２０は、処理部２１０の処理に必要なデータを記憶するメモリである。具体的には、このメモリ２２０は、このビーコン装置２００から送信されるビーコン信号のビーコン信号識別子を記憶する。
【００１７】
ビーコン送信部２３０は、処理部２１０からの制御に従って、メモリ２２０に記憶されるビーコン信号識別子をビーコン信号として無線送信により発信するものである。このような無線通信の規格として、例えば、超低消費電力に最適化された「Ｂｌｕｅｔｏｏｔｈ（登録商標）  Ｌｏｗ  Ｅｎｅｒｇｙ」（以下、「ＢＬＥ」と略す。）が想定される。なお、端末装置１００に無線送信することができるのであれば、ビーコン送信部２３０は、Ｗｉ−Ｆｉ（登録商標）規格など、別の通信規格によりビーコン信号を無線送信してもよい。
【００１８】
移動検知部２６０は、ビーコン装置２００の移動状態を検知するセンサである。この移動検知部２６０は、例えば、振動センサ、衝撃センサまたは加速度センサなどにより実現される。
【００１９】
タイマ２７０は、移動検知部２６０により移動が検知されない期間を計時するタイマである。このタイマ２７０は、移動検知部２６０によってビーコン装置２００が移動している状態が検知されている間はリセットされ、ビーコン装置２００が移動している状態が検知されない期間は時間の経過に応じてカウントされる。そして、タイマ２７０がリセットされずに所定時間をカウントすると、その旨が処理部２１０に通知される。処理部２１０は、タイマ２７０から所定時間をカウントした旨の通知を受けると、上述のように、メモリ２２０からビーコン信号識別子を読み出してビーコン信号を生成し、ビーコン送信部２３０に送信させる。
【００２０】
処理部１１０は、端末装置１００において必要な処理を行うプロセッサである。具体的には、ビーコン装置２００から受信したビーコン信号識別子に応じた警告メッセージを通知部１４０に通知させる。この処理部１１０においては、アプリケーションプログラムが動作し、これらの処理を実行する。
【００２１】
操作部１３０は、この端末装置１００に対する操作入力を受け付けるためのものである。この操作部１３０としては、例えば、タッチパネルの触覚センサが想定されるが、外部接続されたキーボードなどを使用してもよい。通知部１４０は、ユーザに対して情報の通知や、コンテンツの表示を行うためのものである。この通知部１４０としては、例えば、視覚に対して出力するものとしてタッチパネルによる表示部が想定される。すなわち、操作部１３０および通知部１４０は、一体化されたタッチパネルとして構成することができる。
【００２２】
ビーコン受信部１５０は、ビーコン装置２００から送信されたビーコン信号を無線により受信するものである。このビーコン受信部１５０によって受信されたビーコン信号は処理部１１０に供給される。
【００２３】
通知情報データベース１６０は、通知部１４０に通知する通知情報を記憶するデータベースである。この通知情報データベース１６０は、後述するように、ビーコン信号識別子に関連付けて対応する物品の種類を記憶しており、処理部１１０からビーコン信号識別子を用いた索引要求を発行することにより、対応する物品の種類が通知情報として処理部１１０に供給される。処理部１１０は、このようにして得られた通知情報に基づいて、物品の放置に関する警告を通知部１４０に通知させる。
【００２４】
図３は、本発明の第１の実施の形態における通知情報データベース１６０に記憶される項目例を示す図である。この例では、通知情報データベース１６０の各レコードの項目として、ビーコン信号識別子と対応する物品の種類とが関連付けて記憶されている。
【００２５】
例えば、ビーコン信号識別子「ＢＩＤ１」に関連付けて物品「部品Ａ」が記憶されている。端末装置１００の処理部１１０からの索引要求におけるビーコン信号識別子が「ＢＩＤ１」であった場合には、物品「部品Ａ」が処理部１１０に供給される。これに応答して、端末装置１００は、「部品Ａ」の放置に関する警告を通知部１４０に通知する。なお、本発明の第１の実施の形態では、ビーコン信号識別子に対応するものとして物品の種類を想定したが、物品の種類だけでなく、物品そのものを識別するための物品の固体情報等であってもよい。
【００２６】
［警告の通知］
図４は、本発明の第１の実施の形態における物品の放置に関する警告の通知例を示す図である。この例では、通知情報データベース１６０の索引の結果、物品「部品Ａ」が処理部１１０に供給されたため、「部品Ａが３Ｈ以上放置されています」との警告が通知部１４０に通知されている。すなわち、この例では、移動検知部２６０において３時間以上、移動が検知されていない場合に、ビーコン信号が発信されることを前提としており、「部品Ａ」以外の文面は共通化されている。したがって、受信したビーコン信号に含まれるビーコン信号識別子に対応する物品に応じた通知が行われる。
【００２７】
［動作］
図５は、本発明の第１の実施の形態における物品の放置通知システムの処理手順例を示す流れ図である。
【００２８】
移動検知部２６０によって、ビーコン装置２００が移動している状態が検知されている間は、タイマ２７０がリセットされる。一方、移動している状態が検知されなくなると、タイマ２７０が計時動作を行う。そして、移動している状態が検知されない状態が続き、タイマ２７０が所定時間を計時すると（ステップＳ９１１）、処理部１１０はメモリ２２０からビーコン信号識別子を読み出してビーコン信号を生成する。このようにして生成されたビーコン信号をビーコン送信部２３０が送信する（ステップＳ９１２）。
【００２９】
端末装置１００において、ビーコン受信部１５０は、ビーコン装置２００から送信されたビーコン信号を無線により受信する（ステップＳ９１３）。このビーコン信号にはビーコン信号識別子が含まれている。処理部１１０は、そのビーコン信号識別子を用いた索引要求を通知情報データベース１６０に発行して、対応する物品が存在するか否かを判定する（ステップＳ９１６）。その結果、対応する物品が存在する場合には、処理部１１０はその対応する物品の種類を通知情報として取得して、その通知情報に基づいて物品の放置に関する警告を通知部１４０に通知させる（ステップＳ９１９）。
【００３０】
このように、本発明の第１の実施の形態によれば、ビーコン信号に含まれるビーコン信号識別子に対応する物品の種類を通知情報データベース１６０から通知情報として取得して、その通知情報に基づいて物品の放置に関する警告を通知部１４０に通知させることができる。
【００３１】
［第１の変形例］
上述の第１の実施の形態では、タイマ２７０において検知すべき時間の長さ、すなわち放置時間を所定時間として想定していたが、この放置時間を複数段階検知するようにしてもよい。その場合、タイマ２７０は移動している状態が検知されない放置時間を処理部２１０に供給し、処理部２１０は放置時間に応じた警告レベルをビーコン信号に含ませる。
【００３２】
図６は、本発明の実施の形態の第１の変形例における警告レベルの一例を示す図である。同図における（ａ）に示すように、ビーコン信号２９１には、ビーコン信号識別子に加えて、警告レベルが含まれている。この例では、ビーコン信号識別子「ＢＩＤ１」に対応する警告レベルが「３」であることを示している。
【００３３】
この第１の変形例では、端末装置１００は、同図における（ｂ）に示す放置時間データベース１７０をさらに備える。これにより、ビーコン信号２９１に含まれる警告レベルに応じた放置時間を取得することができる。この例では、ビーコン信号識別子「ＢＩＤ１」に対応する警告レベルが「３」であるため、放置時間が「５Ｈ以上」であることが判明する。
【００３４】
図７は、本発明の実施の形態の第１の変形例における物品の放置に関する警告の通知例を示す図である。この例では、通知情報データベース１６０および放置時間データベース１７０の索引の結果、物品「部品Ａ」および放置時間「５Ｈ以上」が処理部１１０に供給されたため、「部品Ａが５Ｈ以上放置されています」との警告が通知部１４０に通知されている。すなわち、この例では、物品および放置時間以外の文面は共通化されている。したがって、受信したビーコン信号に含まれるビーコン信号識別子および警告レベルに応じた通知が行われる。
【００３５】
［第２の変形例］
上述の第１の変形例では、放置時間に応じた警告レベルをビーコン信号に含ませるようにしていたが、第２の変形例のように放置時間そのものをビーコン信号に含ませるようにしてもよい。
【００３６】
図８は、本発明の実施の形態の第２の変形例におけるビーコン信号の一例を示す図である。この第２の変形例のビーコン信号２９２には、ビーコン信号識別子に加えて、放置時間が含まれている。この例では、ビーコン信号識別子「ＢＩＤ１」に対応する放置時間が「３Ｈ３０ｍ」であることを示している。
【００３７】
この第２の変形例では、上述の第１の変形例のような放置時間データベース１７０は不要であり、放置時間そのものを通知情報の一部として利用することができる。
【００３８】
図９は、本発明の実施の形態の第２の変形例における物品の放置に関する警告の通知例を示す図である。この例では、通知情報データベース１６０の索引の結果として物品「部品Ａ」が処理部１１０に供給される一方で、ビーコン信号に含まれる放置時間「３Ｈ３０ｍ」が処理部１１０に供給される。これにより、「部品Ａが３Ｈ３０ｍ放置されています」との警告が通知部１４０に通知されている。この第２の変形例においても、上述の第１の変形例と同様に、物品および放置時間以外の文面は共通化されている。したがって、受信したビーコン信号に含まれるビーコン信号識別子および放置時間に応じた通知が行われる。
【００３９】
［第３の変形例］
上述の第１の実施の形態では、移動検知部２６０において所定時間移動が検知されない場合にビーコン信号を送信していたが、それ以外の場合にもビーコン信号を送信してもよい。この第３の変形例では、移動検知部２６０が移動を所定時間検知しなくなるまでは通常のビーコン信号識別子をビーコン信号として間欠的に送信し、移動検知部２６０が移動を所定時間検知すると放置されている旨を示すビーコン信号識別子をビーコン信号として間欠的に送信する。
【００４０】
図１０は、本発明の実施の形態の第３の変形例におけるビーコン信号識別子の例を示す図である。メモリ２２０には、ビーコン信号識別子として通常識別子と放置識別子とが記憶されている。移動検知部２６０が移動を所定時間検知しなくなるまでは、処理部２１０はメモリ２２０から通常識別子を読み出して、ビーコン送信部２３０にビーコン信号として送信させる。移動検知部２６０が移動を所定時間検知すると、処理部２１０はメモリ２２０から放置識別子を読み出して、ビーコン送信部２３０にビーコン信号として送信させる。これにより、所定時間放置されるまではビーコン装置２００を通常のビーコン装置として機能させるとともに、所定時間放置された後は放置を通知するビーコン装置としてビーコン装置２００を機能させることができる。
【００４１】
なお、この例では、通常識別子および放置識別子をメモリ２２０に記憶する例について示したが、これらをメモリ２２０とは独立した専用のテーブル等として記憶するようにしてもよい。また、所定時間移動が検知されない場合に、放置識別子を送信することを想定したが、通常識別子と放置識別子の両方を同時に送信することにより、ビーコン装置２００を通常のビーコン装置として機能させるとともに、放置を通知するビーコン装置としても機能させるようにしてもよい。
【００４２】
＜２．第２の実施の形態＞
上述の第１の実施の形態では通知情報データベースを端末装置１００に設けていたが、この第２の実施の形態では通知情報データベースを端末装置１００の外部のサーバに設ける。
【００４３】
［物品の放置通知システム］
図１１は、本発明の第２の実施の形態における物品の放置通知システムの構成例を示す図である。なお、ここでは一例として、１台のビーコン装置２００と、１台の端末装置１００と、１台のサーバ３００とを示しているが、それぞれ複数台備えるようにしてもよい。
【００４４】
この第２の実施の形態におけるビーコン装置２００および端末装置１００は、基本的には第１の実施の形態のものと同様の構成を備える。ただし、通知情報データベース３６０はサーバ３００に設けられる。また、端末装置１００はサーバ通信部１８０を備える。このサーバ通信部１８０は、ネットワーク４００を介してサーバ３００との間で通信を行うものである。
【００４５】
サーバ３００は、処理部３１０と、通知情報データベース３６０と、端末通信部３８０とを備える。
【００４６】
処理部３１０は、サーバ３００において必要な処理を行うプロセッサである。具体的には、端末装置１００から受信したビーコン信号識別子に応じた通知情報を通知情報データベース３６０から取得して、端末装置１００に供給する。
【００４７】
通知情報データベース３６０は、通知部１４０に通知する通知情報を記憶するデータベースである。この通知情報データベース３６０は、通知情報データベース１６０と同様の構成を有し、処理部３１０からビーコン信号識別子を用いた索引要求を発行することにより、対応する物品の種類が通知情報として処理部３１０に供給される。処理部３１０は、このようにして得られた通知情報を、端末通信部３８０を介して端末装置１００に供給する。
【００４８】
端末通信部３８０は、ネットワーク４００を介して端末装置１００との間で通信を行うものである。
【００４９】
なお、この第２の実施の形態では通知情報データベース３６０がサーバ３００に設けられる点において第１の実施の形態と異なるが、通知部１４０から通知される情報自体は第１の実施の形態のものと同様である。
【００５０】
［動作］
図１２は、本発明の第２の実施の形態における物品の放置通知システムの処理手順例を示す流れ図である。
【００５１】
移動検知部２６０によって、ビーコン装置２００が移動している状態が検知されている間は、タイマ２７０がリセットされる。一方、移動している状態が検知されなくなると、タイマ２７０が計時動作を行う。そして、移動している状態が検知されない状態が続き、タイマ２７０が所定時間を計時すると（ステップＳ９２１）、処理部１１０はメモリ２２０からビーコン信号識別子を読み出してビーコン信号を生成する。このようにして生成されたビーコン信号をビーコン送信部２３０が送信する（ステップＳ９２２）。
【００５２】
端末装置１００において、ビーコン受信部１５０は、ビーコン装置２００から送信されたビーコン信号を無線により受信する（ステップＳ９２３）。このビーコン信号にはビーコン信号識別子が含まれている。処理部１１０は、そのビーコン信号識別子をサーバ通信部１８０に送信させる（ステップＳ９２４）。
【００５３】
サーバ３００において、端末通信部３８０は、端末装置１００から送信されたビーコン信号識別子を受信する（ステップＳ９２５）。処理部３１０は、そのビーコン信号識別子を用いた索引要求を通知情報データベース３６０に発行して、対応する物品が存在するか否かを判定する（ステップＳ９２６）。その結果、対応する物品が存在する場合には、処理部３１０はその対応する物品の種類を通知情報として取得して、その通知情報を端末通信部３８０に送信させる（ステップＳ９２７）。
【００５４】
端末装置１００において、サーバ通信部１８０はサーバ３００から送信された通知情報を受信する（ステップＳ９２８）。処理部１１０は、受信した通知情報に基づいて物品の放置に関する警告を通知部１４０に通知させる（ステップＳ９２９）。
【００５５】
このように、本発明の第２の実施の形態によれば、ビーコン信号に含まれるビーコン信号識別子に対応する物品の種類をサーバ３００から通知情報として取得して、その通知情報に基づいて物品の放置に関する警告を通知部１４０に通知させることができる。
【００５６】
なお、上述の第１の実施の形態において説明した変形例は、この第２の実施の形態についても同様に適用することができる。
【００５７】
また、上述の実施の形態においては、倉庫などにおける物品を想定し、そのような物品が放置されていることを検知する例について説明したが、対象となる物品としては、納品物や在庫品のほか、遺失物、自転車、ゴミなど様々な物品が想定される。また、本発明は他の用途にも適用することができる。例えば、介護の対象である人間の動きの有無を検知する場合や、糠床においてかき混ぜる動作の有無を検知する場合などに広く適用することができる。
【００５８】
また、上述の実施の形態においては、ビーコン信号に対して、ビーコン信号識別子に加えて警告レベルや放置時間を含ませる例について説明したが、これ以外にも、ビーコン信号を送信している個体を特定しやすくするために、ＧＰＳ情報や放置されている物品が置かれている棚の情報などを含ませるようにしてもよい。
【００５９】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【００６０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【符号の説明】
【００６１】
２０  物品
１００  端末装置
１１０  処理部
１３０  操作部
１４０  通知部
１５０  ビーコン受信部
１６０  通知情報データベース
１７０  放置時間データベース
１８０  サーバ通信部
２００  ビーコン装置
２１０  処理部
２２０  メモリ
２３０  ビーコン送信部
２６０  移動検知部
２７０  タイマ
３００  サーバ
３１０  処理部
３６０  通知情報データベース
３８０  端末通信部
４００  ネットワーク
【図１】
2016069180.tif 000003
【図２】
2016069180.tif 000004
【図３】
2016069180.tif 000005
【図４】
2016069180.tif 000006
【図５】
2016069180.tif 000007
【図６】
2016069180.tif 000008
【図７】
2016069180.tif 000009
【図８】
2016069180.tif 000010
【図９】
2016069180.tif 000011
【図１０】
2016069180.tif 000012
【図１１】
2016069180.tif 000013
【図１２】
2016069180.tif 000014